(57)【要約】【課題】組み付け作業を容易にすることができるプロテクタ及びセンサ取付構造を提供すること。【解決手段】センサ保持部３１と、検出対象囲い壁１２に形成されたセンサ挿入用開口１３ａを検出対象囲い壁１２の外面側から塞ぐ開口閉塞部３２と、を備え、複数のセンサ挿入用開口１３ａの全てに対応した位置に設けられた複数のセンサ保持／開口閉塞部３０と、センサ用電線Ｗを保持する電線保持部４０と、を有し、複数のセンサ保持／開口閉塞部３０の全て、あるいは、一部のセンサ保持部３１にセンサ９０が保持された状態で、プロテクタ２０が検出対象囲い壁１３に取付けられることによって、センサ保持部３１によって保持されたセンサ９０が所定の検出ポイントのセンサ挿入用開口１３ａに挿入配置され、かつ、センサ９０が挿入配置されていないセンサ挿入用開口１３ａを含めた全てのセンサ挿入用開口１３ａが開口閉塞部３２によって塞がれた状態になる。【選択図】図１
2018159656.tif 000002
【特許請求の範囲】
【請求項１】
センサを保持する部分となるセンサ保持部と、前記センサの検出対象を囲う壁である検出対象囲い壁に前記センサが挿入可能に形成されたセンサ挿入用開口を前記検出対象囲い壁の外面側から塞ぐ開口閉塞部と、を備え、前記検出対象囲い壁に形成された複数の前記センサ挿入用開口の全てに対応した位置に設けられた複数のセンサ保持／開口閉塞部と、
前記センサ保持部に保持された前記センサから引き出されるセンサ用電線を所定の配索ルートに沿って保持する電線保持部と、
を有し、
前記複数のセンサ保持／開口閉塞部の全て、あるいは、一部の前記センサ保持部に前記センサが保持された状態で、前記検出対象囲い壁の外面に取付けられることによって、前記センサ保持部によって保持された前記センサが所定の検出ポイントの前記センサ挿入用開口に挿入配置され、かつ、前記センサが挿入配置されていない前記センサ挿入用開口を含めた全ての前記センサ挿入用開口が前記開口閉塞部によって塞がれた状態になる
ことを特徴とするプロテクタ。
【請求項２】
複数の前記検出対象に対応して前記検出対象囲い壁が複数並んで連結される場合、各検出対象囲い壁に対応した複数の前記プロテクタが互いに連結される連結部を有してなる
ことを特徴とする請求項１に記載のプロテクタ。
【請求項３】
前記連結部は、
前記プロテクタとは別体の連結部材を介して連結相手の前記プロテクタの前記連結部と前記プロテクタの並び方向および前記並び方向に直交する面における縦横方向での遊びを有して連結される
ことを特徴とする請求項２に記載のプロテクタ。
【請求項４】
前記センサは、
温度センサであり、
前記検出対象は、
１つの電池、あるいは、複数の電池が並んで接続された電池接続体である
ことを特徴とする請求項１、２または３に記載のプロテクタ。
【請求項５】
センサの検出対象を囲う壁であり、壁に囲われた内部の複数の検出ポイントに対応して外面から内部に前記センサを挿入可能に貫通された複数のセンサ挿入用開口が形成された検出対象囲い壁と、
前記センサを保持する部分となるセンサ保持部と、前記センサ挿入用開口を前記検出対象囲い壁の外面側から塞ぐ開口閉塞部と、を備え、前記複数のセンサ挿入用開口の全てに対応した位置に設けられた複数のセンサ保持／開口閉塞部と、前記センサ保持部に保持された前記センサから引き出されるセンサ用電線を所定の配索ルートに沿って保持する電線保持部と、が設けられたプロテクタと、
を有し、
前記複数のセンサ保持／開口閉塞部の全て、あるいは、一部の前記センサ保持部に前記センサが保持された状態で、前記プロテクタが前記検出対象囲い壁の外面に取付けられることによって、前記センサ保持部によって保持された前記センサが所定の検出ポイントの前記センサ挿入用開口に挿入配置され、かつ、前記センサが挿入配置されていない前記センサ挿入用開口を含めた全ての前記センサ挿入用開口が前記開口閉塞部によって塞がれた状態になる
ことを特徴とするセンサ取付構造。
【発明の詳細な説明】
【技術分野】
【０００１】
本発明は、壁に囲われた検出対象を検出可能にセンサを保持することができるプロテクタ及び該プロテクタを用いたセンサ取付構造に関する。
【背景技術】
【０００２】
従来、電気自動車、あるいは、ハイブリッド自動車などの電源として複数の電池が並んで接続された電池モジュールが用いられる。
このような電池モジュールは、電圧、あるいは、温度等の管理が重要であるため、複数のセンサによって複数箇所の電圧、あるいは、温度を検出し、監視できるようにしている。
【０００３】
例えば、特許文献１には、温度センサとしてのサーミスタが、電池配線モジュールを覆う絶縁カバーに設けられた保持部に保持されることによって温度検出ポイントに配置される温度検出体の取付構造が記載されている。
【先行技術文献】
【特許文献】
【０００４】
【特許文献１】特開２０１６−９０２８６号公報
【発明の概要】
【発明が解決しようとする課題】
【０００５】
しかしながら、特許文献１に記載された温度検出体の取付構造では、サーミスタを挿入するための開口であるサーミスタ挿入部が設けられているため、複数の保持部のうちサーミスタが取り付けられない保持部がある場合、サーミスタ挿入部が開口された状態となるので、外部の温度等の影響を抑えて検出対象を正確に検出するため、あるいは、作業者が開口を通して内部の電気接続部に接触して感電すること防ぐため、さらには、外部から開口内に落下された物が検出対象を破損してしまうことを防ぐため、その開口を別部材で塞ぐ必要があり、結果的に、組み付け作業が煩雑になるという問題があった。
なお、このような問題は、サーミスタ以外のセンサの取付構造においても同様に抱える問題である。
【０００６】
本発明は、上記に鑑みてなされたものであって、組み付け作業を容易にすることができるプロテクタ及びセンサ取付構造を提供することを目的とする。
【課題を解決するための手段】
【０００７】
上述した課題を解決し、目的を達成するために、本発明の請求項１に係るプロテクタは、センサを保持する部分となるセンサ保持部と、前記センサの検出対象を囲う壁である検出対象囲い壁に前記センサが挿入可能に形成されたセンサ挿入用開口を前記検出対象囲い壁の外面側から塞ぐ開口閉塞部と、を備え、前記検出対象囲い壁に形成された複数の前記センサ挿入用開口の全てに対応した位置に設けられた複数のセンサ保持／開口閉塞部と、前記センサ保持部に保持された前記センサから引き出されるセンサ用電線を所定の配索ルートに沿って保持する電線保持部と、を有し、前記複数のセンサ保持／開口閉塞部の全て、あるいは、一部の前記センサ保持部に前記センサが保持された状態で、前記検出対象囲い壁の外面に取付けられることによって、前記センサ保持部によって保持された前記センサが所定の検出ポイントの前記センサ挿入用開口に挿入配置され、かつ、前記センサが挿入配置されていない前記センサ挿入用開口を含めた全ての前記センサ挿入用開口が前記開口閉塞部によって塞がれた状態になることを特徴とする。
【０００８】
また、本発明の請求項２に係るプロテクタは、上記の発明において、前記プロテクタが、複数の前記検出対象に対応して前記検出対象囲い壁が複数並んで連結される場合、各検出対象囲い壁に対応した複数の前記プロテクタが互いに連結される連結部を有してなることを特徴とする。
【０００９】
また、本発明の請求項３に係るプロテクタは、上記の発明において前記連結部が、前記プロテクタとは別体の連結部材を介して連結相手の前記プロテクタの前記連結部と前記プロテクタの並び方向および前記並び方向に直交する面における縦横方向での遊びを有して連結されることを特徴とする。
【００１０】
また、本発明の請求項４に係るプロテクタは、上記の発明において、前記センサが、温度センサであり、前記検出対象は、１つの電池、あるいは、複数の電池が並んで接続された電池接続体であることを特徴とする。
【００１１】
上述した課題を解決し、目的を達成するために、本発明の請求項５係るセンサ取付構造は、センサの検出対象を囲う壁であり、壁に囲われた内部の複数の検出ポイントに対応して外面から内部に前記センサを挿入可能に貫通された複数のセンサ挿入用開口が形成された検出対象囲い壁と、前記センサを保持する部分となるセンサ保持部と、前記センサ挿入用開口を前記検出対象囲い壁の外面側から塞ぐ開口閉塞部と、を備え、前記複数のセンサ挿入用開口の全てに対応した位置に設けられた複数のセンサ保持／開口閉塞部と、前記センサ保持部に保持された前記センサから引き出されるセンサ用電線を所定の配索ルートに沿って保持する電線保持部と、が設けられたプロテクタと、を有し、前記複数のセンサ保持／開口閉塞部の全て、あるいは、一部の前記センサ保持部に前記センサが保持された状態で、前記プロテクタが前記検出対象囲い壁の外面に取付けられることによって、前記センサ保持部によって保持された前記センサが所定の検出ポイントの前記センサ挿入用開口に挿入配置され、かつ、前記センサが挿入配置されていない前記センサ挿入用開口を含めた全ての前記センサ挿入用開口が前記開口閉塞部によって塞がれた状態になることを特徴とする。
【発明の効果】
【００１２】
本発明の請求項１に係るプロテクタは、センサ保持／開口閉塞部が前記複数のセンサ挿入用開口の全てに対応した位置に設けられているため、一部の前記センサ保持部に前記センサが保持された状態で前記プロテクタが前記検出対象囲い壁に取付けられる場合においても、前記センサが挿入配置されていない前記センサ挿入用開口を含めた全ての前記センサ挿入用開口が前記開口閉塞部によって塞がれた状態になるので、前記センサが挿入配置されない前記センサ挿入用開口を個別に塞ぐ必要がなく、結果的に、組み付け作業を容易にすることができる。
【００１３】
本発明の請求項２に係るプロテクタは、複数の前記検出対象に対応して前記検出対象囲い壁が複数並んで連結される場合、複数の当該プロテクタが互いに連結される連結部を有してなるので、前記検出対象囲い壁が複数並んで連結される場合においても、複数のプロテクタが連結された状態で前記連結された複数の検出対象囲い壁にまとめて取り付けられるので、組み付け作業を容易にすることができる。
【００１４】
本発明の請求項３に係るプロテクタは、複数のプロテクタが前記連結部材を介して前記プロテクタの並び方向および前記並び方向に直交する面における縦横方向での遊びを有して連結されるようになっているので、複数並んで連結された前記検出対象囲い壁の連結部分にズレがあったとしても、連結された複数のプロテクタは互いの連結部分でそのズレを吸収することができる。
【００１５】
本発明の請求項４に係るプロテクタは、前記温度センサが挿入配置されていない前記センサ挿入開口を含めた全ての前記センサ挿入開口が前記開口閉塞部によって塞がれた状態で前記検出対象囲い壁内の前記一つの電池、あるいは、前記電池接続体の温度を検出することができるので、前記検出対象囲い壁の外部の影響を抑えて検出対象となる前記電池接続体の温度を正確に測定することができる。
【００１６】
本発明の請求項５に係るセンサ取付構造は、前記プロテクタに設けられたセンサ保持／開口閉塞部が前記複数のセンサ挿入用開口の全てに対応した位置に設けられているため、一部の前記センサ保持部に前記センサが保持された状態で前記プロテクタが前記検出対象囲い壁の外面に取付けられる場合においても、前記センサが挿入配置されていない前記センサ挿入用開口を含めた全ての前記センサ挿入用開口が前記開口閉塞部によって塞がれた状態になるので、前記センサが挿入配置されない前記センサ挿入用開口を個別に塞ぐ必要がなく、結果的に、組み付け作業を容易にすることができる。
【図面の簡単な説明】
【００１７】
【図１】図１は、（ａ）が本発明の実施例に係るプロテクタ及びセンサ取付構造が組み込まれた電池ユニットの電池モジュールにプロテクタを取付ける前の状態を示した斜視図であり、（ｂ）が（ａ）に示した電池モジュールのＡ−Ａ線断面図である。
【図２】図２は、図１に示した電池ユニットの電池モジュールにプロテクタが取り付けた状態を示した斜視図である。
【図３】図３は、３つのプロテクタが連結される前の状態を示した図である。
【図４】図４は、（ａ）が３つのプロテクタが連結された状態をプロテクタの内面側から視た図であり、（ｂ）が（ａ）の側面図である。
【図５】図５は、（ａ）がプロテクタのセンサ保持／開口閉塞部周辺の斜視図であり、（ｂ）が（ａ）に示したプロテクタに温度センサと温度センサから引き出されるセンサ用電線とが保持された状態を示したセンサ保持／開口閉塞部周辺の斜視図である。
【図６】図６は、（ａ）が電線保持部を電線挿入口側から視た図であり、（ｂ）が（ａ）に示した電線係止部のＣ−Ｃ線断面図である。
【図７】図７は、（ａ）が図２に示した電池ユニットのＢ１−Ｂ１線断面図であり、（ｂ）が図２に示した電池ユニットのＢ２−Ｂ２線断面図である。
【図８】図８は、電線引き出し口としての舌片部をそれぞれ異なる方向から視た斜視図である。
【図９】図９、図３に示した片端連結プロテクタの連結部、および、両端連結プロテクタの連結部の周辺の拡大図である。
【図１０】図１０（ａ）が片端連結プロテクタの連結部と両端連結プロテクタの連結部とが連結された部分の斜視図であり、（ｂ）が（ａ）に示した連結部分のＤ−Ｄ線断面図である。
【図１１】図１１、図３に示した２つの両端連結プロテクタの連結部の周辺の拡大図である。
【図１２】図１２、（ａ）が２つの両端連結プロテクタが連結された部分の斜視図であり、（ｂ）が（ａ）に示した連結部分のＥ−Ｅ線断面図である。
【図１３】図１３、温度センサの斜視図である。
【図１４】図１４は、プロテクタの連結数は３つに限定されないことを説明するための図である。
【発明を実施するための形態】
【００１８】
以下、図面を参照して、本発明に係るプロテクタ及びセンサ取付構造の好適な実施例を詳細に説明する。
【実施例】
【００１９】
図１は、（ａ）が本発明の実施例に係るプロテクタ２０及びセンサ取付構造１が組み込まれた電池ユニット１００の電池モジュール１０にプロテクタ２０を取付ける前の状態を示した斜視図であり、（ｂ）が（ａ）に示した電池モジュール１０のＡ−Ａ線断面図である。図２は、図１に示した電池ユニット１００の電池モジュール１０にプロテクタ２０が取り付けた状態を示した斜視図である。図３は、３つのプロテクタ２０が連結される前の状態を示した図である。図４は、（ａ）が３つのプロテクタ２０が連結された状態をプロテクタ２０の内面側から視た図であり、（ｂ）が（ａ）の側面図である。図５は、（ａ）がプロテクタ２０のセンサ保持／開口閉塞部３０周辺の斜視図であり、（ｂ）が（ａ）に示したプロテクタ２０に温度センサ９０と温度センサ９０から引き出されるセンサ用電線Ｗとが保持された状態を示したセンサ保持／開口閉塞部３０周辺の斜視図である。図６は、（ａ）が電線保持部４０を電線挿入口４０ａ側から視た図であり、（ｂ）が（ａ）に示した電線保持部４０のＣ−Ｃ線断面図である。図７は、（ａ）が図２に示した電池ユニットのＢ１−Ｂ１線断面図であり、（ｂ）が図２に示した電池ユニット１００のＢ２−Ｂ２線断面図である。図８は、電線引き出し口５０としての舌片部５１をそれぞれ異なる方向から視た斜視図である。図９、図３に示した片端連結プロテクタ２０Ａの連結部６０、および、両端連結プロテクタ２０Ｂの連結部７０の周辺の拡大図である。図１０（ａ）が片端連結プロテクタ２０Ａの連結部６０と両端連結プロテクタ２０Ｂの連結部７０とが連結された部分の斜視図であり、（ｂ）が（ａ）に示した連結部分のＤ−Ｄ線断面図である。図１１、図３に示した２つの両端連結プロテクタ２０Ｂの連結部７０の周辺の拡大図である。図１２、（ａ）が２つの両端連結プロテクタ２０Ｂが連結された部分の斜視図であり、（ｂ）が（ａ）に示した連結部分のＥ−Ｅ線断面図である。図１３、温度センサ９０の斜視図である。図１４は、プロテクタ２０の連結数は３つに限定されないことを説明するための図である。
本発明の実施例に係るプロテクタ２０及びセンサ取付構造１は、電気自動車、あるいは、ハイブリッド自動車などの電源となる複数の電池１１が並んで接続された電池接続体ＢＰを含む電池ユニット１００に組み込まれるものである。
【００２０】
電池ユニット１００は、互いに連結された３つの電池モジュール１０と、温度センサ９０を保持するともに温度センサ９０から引き出されるセンサ用電線Ｗを保護するプロテクタ２０と、を有してなる。
【００２１】
まず、電池モジュール１０について説明する。
電池モジュール１０は、複数の電池１１と、複数の電池１１を電気的に接続する不図示のバスバーと、複数の電池１１およびバスバーを収容するケース１２と、ケース１２の上面開口１２ａを塞ぐ上面カバー１３と、を有してなる。
【００２２】
電池１１は、市販の円柱状の電池を用いていており、両端部に電極が設けられている。
【００２３】
バスバーは、ケース１２内に整列して収容された複数の電池１１の隣り合う電池１１の電極を直列あるいは並列で接続する板状の導電部材である。
複数の電池１１は、バスバーを介して電気的に接続されることによって、所定の容量に調整された１つの電池接続体ＢＰとして構成されるようになっている。
【００２４】
ケース１２は、絶縁性の樹脂材からなり、電気的に接続される複数の電池１１を整列した状態で保持するものである。
この実施例では、ケース１２は、上面開口１２ａが形成された略直方体形状の箱であり、プロテクタ２０を固定するためのロック突起１２ｂが上面開口１２ａ側の端部外面の各所に設けられている。
【００２５】
上面カバー１３は、ケース１２の上面開口１２ａを塞ぐことによって、温度センサ９０による検出対象である電池接続体ＢＰをケース１２と合わせて囲う壁となる検出対象囲い壁を構成している。すなわち、上面カバー１３が検出対象囲い壁の上壁を構成し、ケース１２が検出対象囲い壁の底壁および側壁を構成するようになっている。
この上面カバー１３は、絶縁性の樹脂材からなる板状部材であり、温度センサ９０による壁に囲われた内部の複数の検出ポイントに対応して外面から内部に温度センサ９０を挿入可能に貫通された複数のセンサ挿入用開口１３ａが設けられている。
【００２６】
この実施例では、連結された３つの電池モジュール１０の側部外面が側面カバー１４によって囲われるようになっている。
【００２７】
次に、プロテクタ２０について説明する。
プロテクタ２０は、絶縁性の樹脂材からなり、上面カバー１３の外面に取り付けられることによって、複数の温度センサ９０をセンサ用電線Ｗが上面カバー１３上に所定のルートに沿って配策された状態で各検出ポイントに配置するとともに、上面カバー１３に設けられた複数のセンサ挿入用開口１３ａの全てを塞ぐようになっている。
なお、この実施例では、３つの電池モジュール１０が連結されているため、各電池モジュール１０に対応した３つのプロテクタ２０が連結されるようになっている。
【００２８】
３つのプロテクタ２０のうち、１つはプロテクタ２０の並び方向（以下、単に「並び方向」という。）の一端側がセンサ用電線Ｗが引き出される部分になっており、他端側が他のプロテクタ２０との連結部６０になっている片端連結プロテクタ２０Ａであり、残りの２つは、並び方向の両端側が他のプロテクタ２０との連結部７０になっている両端連結プロテクタ２０Ｂである。
つまり、連結された３つのプロテクタ２０は、片端連結プロテクタ２０Ａ、および、両端連結プロテクタ２０Ｂの２種類のプロテクタ２０によって構成されている。
【００２９】
まず、２種類のプロテクタ２０の共通構成部分について説明する。
２種類のプロテクタ２０は、センサ保持／開口閉塞部３０と、電線保持部４０と、を共通構成部分として有してなる。
【００３０】
センサ保持／開口閉塞部３０は、温度センサ９０を保持する部分となるセンサ保持部３１と、センサ挿入用開口１３ａを検出対象囲い壁としての上面カバー１３の外面側から塞ぐ開口閉塞部３２と、を備え、上面カバー１３に設けられた複数のセンサ挿入用開口１３ａの全てに対応した位置に設けられている。
【００３１】
センサ保持部３１は、図５に示すように、開口閉塞部３２の後述する閉塞本体部３３の内面に突設された一対の係止片３１ａ、３１ａを有してなる。
一対の係止片３１ａ、３１ａは、温度センサ９０に設けられた一対の係止突起９３、９３が係止される係止孔３１ｂが形成されている。
【００３２】
なお、温度センサ９０は、図１３示すように、不図示のサーミスタが組み込まれた検出部９１と、検出部９１を支持する部分であり一対の係止突起９３、９３が両側部に設けられた支持部９２と、を有してなる。
支持部９２は、サーミスタに繋がるセンサ用電線Ｗが引き出されるようになっている。
【００３３】
開口閉塞部３２は、上面カバー１３の外面側からセンサ挿入用開口１３ａを塞ぐ部分となる閉塞本体部３３と、閉塞本体部３３をセンサ挿入用開口１３ａを塞ぐ位置に固定するための閉塞本体固定部３４と、を有してなる。
閉塞本体部３３は、センサ挿入用開口１３ａに向かい合うように配置される内面３３ａがセンサ挿入用開口１３ａに比して大きい板状部分である。
この閉塞本体部３３は、内面３３ａが温度センサ９０を固定する固定面となっており、上述したように一対の係止片３１ａ、３１ａが内面３３ａに突設されている。
【００３４】
また、閉塞本体部３３の内面３３ａには、電線保持部４０の後述する縁立設壁４１ｂに連続した縁立設壁３３ａが縁に沿って設けられている。
縁立設壁３３ａは、閉塞本体部３３の縁のうち、閉塞本体固定部３４が形成される部分、および、それ以外の一部についても未形成部分を残すようにして閉塞本体部３３の内面３３ａに立設されている。
なお、縁立設壁３３ａの未成形部分は、プロテクタ２０の取付け性および取り外し性を考慮して設けられている。
【００３５】
閉塞本体固定部３４は、閉塞本体部３３の縁に沿って閉塞本体部３３の内面３３ａに立設されたロック片３５を有してなる。
【００３６】
ロック片３５は、閉塞本体部３３の縁に立設された一対の脚部３５ａ、３５ａと、一対の脚部３５ａ、３５ａの上部を橋渡す橋渡し部３５ｂと、を有してなるコの字状の片本体の橋渡し部３５ｂにロック突起３５ｃが設けられてなる。
【００３７】
ロック突起３５ｃは、ケース１２に設けられた上述のロック突起１２ｂと係合する部分である。
すなわちロック片３５は、閉塞本体部３３をセンサ挿入用開口１３ａを塞ぐ位置に固定するとともに、プロテクタ２０を電池モジュール１０に固定する機能をなしている。
【００３８】
電線保持部４０は、センサ保持部３１に保持された温度センサ９０から引き出されるセンサ用電線Ｗを所定の配索ルートに沿って保持するものである。
この電線保持部４０は、センサ用電線Ｗの配索ルートに沿って設けられた保持本体部４１と、保持本体部４１の各所に設けられ、センサ用電線Ｗを係止する電線固定部４２と、を有してなる。
【００３９】
保持本体部４１は、複数の温度センサ９０のセンサ用電線Ｗをプロテクタ２０の電線引き出し口５０に誘導する主幹保持部４１Ａと、主幹保持部４１Ａから枝分かれして各センサ保持／開口閉塞部３０に繋がる分岐保持部４１Ｂと、を有してなる。
【００４０】
主幹保持部４１Ａおよび分岐保持部４１Ｂは、センサ用電線Ｗが載置される底壁部４１ａと、底壁部４１ａの両縁に立設された縁立設壁４１ｂと、を有してなる。
分岐保持部４１Ｂは、センサ用電線Ｗを壁で仕切って配策するための仕切り壁４１ｃを有してなる。
【００４１】
なお、この実施例では、分岐保持部４１Ｂが主幹保持部４１ＡからＹ字状、あるいは、斜め一直線状に分岐されるものを図示したが、分岐保持部４１Ｂの分岐形状はこれに限らず、主幹保持部４１Ａと、各センサ保持／開口閉塞部３０とをセンサ用電線Ｗの配索ルートとして繋ぐようになっていればその他の分岐形状であってもよい。
【００４２】
電線固定部４２は、図６に示すように、仕切り壁４１ｃと縁立設壁４１ｂとの間隔、あるいは、対向する縁立設壁４１ｂ、４１ｂの間隔を周辺に比して狭く調整され、かつ、電線係止突起４２ａが電線挿入口４０ａ付近に設けられてなる。
この電線固定部４２は、センサ用電線Ｗの一部を壁で挟み込み、かつ、電線係止突起４２ａによってセンサ用電線Ｗが電線挿入口４０ａから離脱されることを阻止するようになっている。
【００４３】
次に、２種類のプロテクタ２０の異なる構成部分について説明する。
まず、片端連結プロテクタ２０Ａについて説明する。
片端連結プロテクタ２０Ａは、センサ用電線Ｗを引き出す部分となる電線引き出し口５０を互いに離間された２箇所に有してなる。
【００４４】
電線引き出し口５０は、主幹保持部４１Ａの終端部から舌片状に突出された舌片部５１によって構成されている。
舌片部５１は、主幹保持部４１Ａから引き出される複数のセンサ用電線Ｗとともにテープ巻きされることによって、主幹保持部４１Ａから引き出される複数のセンサ用電線Ｗを電線引き出し口５０に固定できるようになっている。
この舌片部５１は、互いに離間された２箇所に設けられることによって、電池ユニット１０の設置場所のスペース等の設置条件に適した舌片部５１を電線引き出し口５０として選択することができるようになっている。
【００４５】
また、片端連結プロテクタ２０Ａは、両端連結プロテクタ２０Ｂと異なる連結部６０を有してなる。
この連結部６０は、図９および図１０に示すように、主幹保持部４１Ａの縁立設壁４１ｂの外面に一体的に設けられ、両端連結プロテクタ２０Ｂとの並び方向に突出された連結片部６１を有してなる。
【００４６】
連結片部６１は、連結対象となる両端連結プロテクタ２０Ｂの主幹保持部４１Ａの縁立設壁４１ｂの外面と、両端連結プロテクタ２０Ｂの連結部７０となる後述する連結片部７１の間に、主幹保持部４１Ａの縁立設壁４１ｂの上端縁面に当接されるように屈曲された当接部６１ａと、両端連結プロテクタ２０Ｂの後述する連結孔７１ａに嵌る連結突起６１ｂと、を有してなる。
【００４７】
このような連結片部６１を介して、片端連結プロテクタ２０Ａと両端連結プロテクタ２０Ｂとが連結されることによって、当接部６１ａと連結突起６１ｂとによって、図１０（ｂ）中、縦方向での連結部分のガタツキが僅かな遊びをもって規制されるようになっている。
【００４８】
また、連結片部６１が、両端連結プロテクタ２０Ｂの主幹保持部４１Ａの縁立設壁４１ｂの外面と、両端連結プロテクタ２０Ｂの連結部７０となる後述する連結片部７１の間に、入ることによって、図１０（ｂ）中、横方向での連結部分のガタツキが僅かな遊びをもって規制されるようになっている。
【００４９】
このように互いに連結された片端連結プロテクタ２０Ａと両端連結プロテクタ２０Ｂとは連結部分で互いの主幹保持部４１Ａが連結されるようになっている。
【００５０】
次に、両端連結プロテクタ２０Ｂについて説明する。
両端連結プロテクタ２０Ｂは、連結部７０が上述したように片端連結プロテクタ２０Ａの連結片部６１と連結されるだけでなく、両端連結プロテクタ２０Ｂ同士でプロテクタ２０とは別体の連結部材８０を用いて連結することができるように構成されている。
【００５１】
この連結部７０は、図１１および図１２に示すように、主幹保持部４１Ａの終端部の縁立設壁４１ｂの外面に並び方向から視てＬ字状に設けられた連結片部７１を有してなる。
【００５２】
連結片部７１は、連結部材８０、あるいは、片端連結プロテクタ２０Ａの連結突起６１ｂが嵌る連結孔７１ａが形成されている。
【００５３】
なお、連結部材８０は、片端連結プロテクタ２０Ａの連結片部６１と同様に、両端連結プロテクタ２０Ｂの主幹保持部４１Ａの縁立設壁４１ｂの外面と、両端連結プロテクタ２０Ｂの連結片部７１との間に、主幹保持部４１Ａの縁立設壁４１ｂの上端縁面に当接されるように屈曲された当接部８１ａと、両端連結プロテクタ２０Ｂの連結孔７１ａに嵌る連結突起８１ｂと、を有してなる連結片部８１が並び方向両端部に一対設けられた部材である。
【００５４】
この連結部材８０の両端部に設けられた連結片部８１の間には両端連結プロテクタ２０Ｂ同士が連結される場合に、各両端連結プロテクタ２０Ｂの連結片部７１の縁面が並び方向で当接される当接面８２ａが形成された当接部８２が設けられている。
【００５５】
このような連結部材８０を介して、両端連結プロテクタ２０Ｂ同士が連結されることによって、当接部８１ａと連結突起８１ｂとによって、図１２（ｂ）中、縦方向での連結部分のガタツキが僅かな遊びをもって規制されるようになっている。
【００５６】
また、連結部材８０の連結片部８１が、両端連結プロテクタ２０Ｂの主幹保持部４１Ａの縁立設壁４１ｂの外面と、両端連結プロテクタ２０Ｂの連結片部７１の間に、入ることによって、図１２（ｂ）中、横方向での連結部分のガタツキが多少の遊びをもって規制されるようになっている。
【００５７】
さらに、両端連結プロテクタ２０Ｂの連結片部７１の縁面が連結部材８０の当接面８２ａに並び方向で当接されるようになっているので（図１２（ａ）参照）、並び方向での連結部分のガタツキが多少の遊びをもって規制されるようになっている。
【００５８】
なお、電線引き出し側に１つの片端連結プロテクタ２０Ａを用いて、その他のプロテクタ２０を両端連結プロテクタ２０Ｂが連結されるように構成すれば、片端連結プロテクタ２０Ａおよび両端連結プロテクタ２０Ｂの２つのタイプのプロテクタ２０を用いることによって３つ以上のプロテクタ２０を連結する場合にも対応することができる。
【００５９】
次に、センサ取付構造１の組み立て手順について説明する。
なお、プロテクタ２０に温度センサ９０を取り付ける工程と、温度センサ９０が取り付けられたプロテクタ２０を電池モジュール１０に取り付ける工程とは別工程であるものとして説明する。
【００６０】
まず、プロテクタ２０に温度センサ９０を取り付ける工程では、３つ電池モジュール１０に対応して連結された３つのプロテクタ２０に温度センサ９０を取付ける。
この工程では、温度センサ９０は、３つのプロテクタ２０の全てのセンサ保持部３１に取り付けられるのではなく、検出ポイントに対応したセンサ保持部３１のみに取り付けられる。
また、各温度センサ９０から引き出されたセンサ用電線Ｗは電線固定部４２によって複数箇所が固定されることによって電線保持部４０に確実に保持されている。
【００６１】
次に、プロテクタ２０を電池モジュール１０に取り付ける工程では、３つの電池モジュール１０が不図示の連結構造、あるいは、側面カバー１４等によって連結され、この連結された３つの電池モジュール１０に対して、連結された３つのプロテクタ２０がまとめて固定される。
この工程では、各プロテクタ２０の各閉塞本体固定部３４に設けられたロック突起３５ｃが、ケース１２に設けられた各ロック突起１２ｂと係合されることによって、連結された３つのプロテクタ２０が連結された３つのモジュール１０に固定される。
これにより、プロテクタ２０の各センサ保持／開口閉塞部３０が、各電池モジュール１０の上面カバー１３に設けられた全てのセンサ挿入用開口１３ａに対応した位置に固定配置される。
このため、センサ保持部３１に保持された温度センサ９０は、センサ挿入用開口１３ａに挿入され、上面カバー１３内部の電池モジュール１０の温度を検出できる状態になる。
また、温度センサ９０が挿入配置されていないセンサ挿入用開口１３ａを含めた全てのセンサ挿入用開口１３ａが開口閉塞部３２によって塞がれた状態になる（図７参照）。
【００６２】
本発明の実施例に係るプロテクタ２０は、センサ保持／開口閉塞部３０が複数のセンサ挿入用開口１３ａの全てに対応した位置に設けられているため、一部のセンサ保持部３１に温度センサ９０が保持された状態でプロテクタ２０が上面カバー１３の外面に取付けられる場合においても、温度センサ９０が挿入配置されていないセンサ挿入用開口１３ａを含めた全てのセンサ挿入用開口１３ａが開口閉塞部３２によって塞がれた状態になるので、温度センサ９０が挿入配置されないセンサ挿入用開口１３ａを個別に塞ぐ必要がなく、結果的に、組み付け作業を容易にすることができる。
【００６３】
また、本発明の実施例に係るプロテクタ２０は、複数の電気接続体ＢＰに対応して検出対象囲い壁１２、１３が複数並んで連結される場合、複数のプロテクタ２０が互いに連結される連結部６０、７０を有してなるので、検出対象囲い壁１２、１３が複数並んで連結される場合においても、複数のプロテクタ２０が連結された状態で連結された複数の検出対象囲い壁１２、１３にまとめて取り付けられるので、組み付け作業を容易にすることができる。
【００６４】
また、本発明の実施例に係るプロテクタ２０は、複数のプロテクタ２０が連結部材８０を介してプロテクタ２０の並び方向および並び方向に直交する面における縦横方向での遊びを有して連結されるようになっているので、複数並んで連結された検出対象囲い壁１２、１３の連結部分にズレがあったとしても、連結された複数のプロテクタ２０は互いの連結部分でそのズレを吸収することができる。
【００６５】
また、本発明の実施例に係るプロテクタ２０は、温度センサ９０が挿入配置されていないセンサ挿入用開口１３ａを含めた全てのセンサ挿入用開口１３ａが開口閉塞部３２によって塞がれた状態で検出対象囲い壁１２、１３内の電池接続体ＢＰの温度を検出することができるので、検出対象囲い壁１２、１３の外部の影響を抑えて検出対象となる電池接続体ＢＰの温度を正確に測定することができる。
【００６６】
本発明の実施例に係るセンサ取付構造１は、プロテクタ２０に設けられたセンサ保持／開口閉塞部３０が複数のセンサ挿入用開口１３ａの全てに対応した位置に設けられているため、一部のセンサ保持部３１に温度センサ９０が保持された状態でプロテクタ２０が上面カバー１３に取付けられる場合においても、温度センサ９０が挿入配置されていないセンサ挿入用開口１３ａを含めた全てのセンサ挿入用開口１３ａが開口閉塞部３２によって塞がれた状態になるので、温度センサ９０が挿入配置されないセンサ挿入用開口１３ａを個別に塞ぐ必要がなく、結果的に、組み付け作業を容易にすることができる。
【００６７】
なお、発明の実施例に係るプロテクタ２０及びセンサ取付構造１は、３つのプロテクタ２０が連結された状態で、連結された３つの電池モジュール１０に取り付けられるものを例示したが、少なくとも１つのプロテクタ２０が１つの電池モジュール１０に取り付けられるようになっていれば、プロテクタ２０の連結数、あるいは、電池モジュール１０の連結数はこれに限らない。例えば、図１４に示すように、２つプロテクタ２０Ａ、２０Ｂを連結したものを連結された２つの電池モジュール１０に取り付けるようにしてもよい。
【００６８】
また、発明の実施例に係るセンサ取付構造１は、電池が円柱状のものを用いたが、電池の形状はこれに限らず、例えば、板状のものを用いても構わない。
【００６９】
また、発明の実施例に係るセンサ取付構造１は、検出対象が複数の電池が並んで接続された電池接続体ＢＰであるものを例示したが、検出対象は１つの電池であっても構わない。
【００７０】
また、発明の実施例に係るプロテクタ２０及びセンサ取付構造１は、センサとしては温度センサを用いたがこれに限らず、その他のセンサを用いてもよい。例えば、電流センサを用いてもよい。
【００７１】
また、発明の実施例に係るプロテクタ２０及びセンサ取付構造１は、片端連結プロテクタ２０Ａの連結部６０を両端連結プロテクタ２０Ｂと異なる構造にしていたが、これに限らず、両端連結プロテクタ２０Ｂと同様に連結部材８０を用いて連結される構成にしてもよい。
【００７２】
また、発明の実施例に係るセンサ取付構造１は、複数のセンサ挿入用開口１３ａが検出対象囲い壁の上面を構成する上面カバー１３に設けられるものを例示したが、複数のセンサ挿入用開口１３ａを設ける箇所は、検出対象囲い壁の上面に限らず、検出対象囲い壁の側面を構成する壁に設けるようにしても構わない。
【００７３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００７４】
１      センサ取付構造
１０    電池モジュール
１１    単電池
１２    ケース（検出対象囲い壁）
１２ａ  上面開口
１２ｂ  ロック突起
１３    上面カバー（検出対象囲い壁）
１３ａ  センサ挿入用開口
１４    側面カバー
２０    プロテクタ
２０Ａ  片端連結プロテクタ
２０Ｂ  両端連結プロテクタ
３０    センサ保持／開口閉塞部
３１    センサ保持部
３１ａ  係止片
３１ｂ  係止孔
３２    開口閉塞部
３３    閉塞本体部
３３ａ  内面
３３ｂ  縁立設壁
３４    閉塞本体固定部
３５    ロック片
３５ａ  脚部
３５ｂ  橋渡し部
３５ｃ  ロック突起
４０    電線保持部
４０ａ  電線挿入口
４１    保持本体部
４１Ａ  主幹保持部
４１Ｂ  分岐保持部
４１ａ  底壁部
４１ｂ  縁立設壁
４１ｃ  仕切り壁
４２    電線固定部
４２ａ  電線係止突起
５０    電線引き出し口
５１    舌片部
６０    連結部
６１    連結片部
６１ａ  当接部
６１ｂ  連結突起
７０    連結部
７１    連結片部
７１ａ  連結孔
８０    連結部材
８１    連結片部
８１ａ  当接部
８１ｂ  連結突起
８２    当接部
８２ａ  当接面
９０    温度センサ（センサ）
９１    検出部
９２    支持部
９３    係止突起
１００  電池ユニット
Ｂ      電池
ＢＰ    電池接続体（検出対象）
Ｗ      センサ用電線
【図１】
2018159656.tif 000003
【図２】
2018159656.tif 000004
【図３】
2018159656.tif 000005
【図４】
2018159656.tif 000006
【図５】
2018159656.tif 000007
【図６】
2018159656.tif 000008
【図７】
2018159656.tif 000009
【図８】
2018159656.tif 000010
【図９】
2018159656.tif 000011
【図１０】
2018159656.tif 000012
【図１１】
2018159656.tif 000013
【図１２】
2018159656.tif 000014
【図１３】
2018159656.tif 000015
【図１４】
2018159656.tif 000016